【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
デジタル放送波を受信し、受信したデジタル放送波からＴＳデータを出力する受信部を複数有するとともに、当該受信部から出力されたＴＳデータに基づいて映像データを生成する信号処理装置であって、
ＴＳデータに含まれる映像データを復号する第１のデコード手段と、
ＴＳデータに含まれる映像データを復号する第２のデコード手段と、を有し、
前記第１のデコード手段は前記ＴＳデータを復号して第１の解像度の映像データを生成するために必要な第１の演算処理を実行し、
前記第２のデコード手段は前記第１の演算処理よりも低い処理能力である第２の演算処理を実行し、前記第１の解像度よりも低解像度である第２の解像度の映像データを生成することを特徴とする信号処理装置。
【請求項２】
前記第１のデコード手段で復号された映像データと、前記第２のデコード手段で復号された映像データとを共に用いて、それぞれの映像データを表示デバイスの表示可能領域に異なる表示サイズで同時に表示する制御手段を有し、
前記制御手段は、前記第２のデコード手段で復号された映像データを前記第１のデコード手段で復号された映像データの表示サイズより小さい表示サイズで表示するように制御することを特徴とする請求項１に記載の信号処理装置。
【請求項３】
前記第２のデコード手段が実行する第２の演算処理の単位時間あたりに実行できる演算処理回数は、前記第１のデコード手段が実行する第１の演算処理の単位時間あたりに実行できる演算処理回数よりも少ないことを特徴とする請求項１または２に記載の信号処理装置。
【請求項４】
デジタル放送波を受信し、受信したデジタル放送波からＴＳデータを出力する受信部を複数有するとともに、当該受信部から出力されたＴＳデータに基づいて映像データを生成する信号処理方法であって、
ＴＳデータに含まれる映像データを復号する第１のデコード工程と、
ＴＳデータに含まれる映像データを復号する第２のデコード工程と、を有し、
前記第１のデコード工程では、前記ＴＳデータを復号して第１の解像度の映像データを生成するために必要な第１の演算処理を実行し、
前記第２のデコード工程では、前記第１の演算処理よりも低い処理能力である第２の演算処理を実行し、前記第１の解像度よりも低解像度である第２の解像度の映像データを生成することを特徴とする信号処理方法。
【請求項５】
前記第１のデコード工程で復号された映像データと、前記第２のデコード工程で復号された映像データとを共に元居て、それぞれの映像データを表示デバイスの表示可能領域に異なる表示サイズで同時に表示する制御工程を有し、
前記制御工程では、前記第２のデコード工程で復号された映像データを前記第１のデコード工程で復号された映像データの表示サイズより小さい表示サイズで表示するように制御することを特徴とする請求項４に記載の信号処理方法。
【請求項６】
前記第２のデコード工程で実行する第２の演算処理の単位時間あたりに実行できる演算処理回数は、前記第１のデコード工程で実行する第１の演算処理の単位時間あたりに実行できる演算処理回数よりも少ないことを特徴とする請求項４または５に記載の信号処理方法。
【手続補正２】
【補正対象書類名】明細書
【補正対象項目名】発明の名称
【補正方法】変更
【補正の内容】
【発明の名称】信号処理装置及び信号処理方法
【手続補正３】
【補正対象書類名】明細書
【補正対象項目名】０００１
【補正方法】変更
【補正の内容】
【０００１】
本発明は信号処理装置及び信号処理方法に関する。
【手続補正４】
【補正対象書類名】明細書
【補正対象項目名】０００５
【補正方法】変更
【補正の内容】
【０００５】
本願に係る発明の一つは、デジタル放送波を受信し、受信したデジタル放送波からＴＳデータを出力する受信部を複数有するとともに、当該受信部から出力されたＴＳデータに基づいて映像データを生成する信号処理装置であって、ＴＳデータに含まれる映像データを復号する第１のデコード手段と、ＴＳデータに含まれる映像データを復号する第２のデコード手段と、を有し、前記第１のデコード手段は前記ＴＳデータを復号して第１の解像度の映像データを生成するために必要な第１の演算処理を実行し、前記第２のデコード手段は前記第１の演算処理よりも低い処理能力である第２の演算処理を実行し、前記第１の解像度よりも低解像度である第２の解像度の映像データを生成する。
【手続補正５】
【補正対象書類名】明細書
【補正対象項目名】０００６
【補正方法】変更
【補正の内容】
【０００６】
また、本願に係る発明の一つは、デジタル放送波を受信し、受信したデジタル放送波からＴＳデータを出力する受信部を複数有するとともに、当該受信部から出力されたＴＳデータに基づいて映像データを生成する信号処理方法であって、ＴＳデータに含まれる映像データを復号する第１のデコード工程と、ＴＳデータに含まれる映像データを復号する第２のデコード工程と、を有し、前記第１のデコード工程では、前記ＴＳデータを復号して第１の解像度の映像データを生成するために必要な第１の演算処理を実行し、前記第２のデコード工程では、前記第１の演算処理よりも低い処理能力である第２の演算処理を実行し、前記第１の解像度よりも低解像度である第２の解像度の映像データを生成する。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００４２
【補正方法】変更
【補正の内容】
【００４２】
衛星やＣＡＴＶや地上波等のデジタル放送を見る、もしくは聞くためには、使用者はリモコン４等の操作デバイスを操作する。操作デバイスを操作することで発生したチャンネルを指示するための信号は、操作部２０８で受理され、ＣＰＵ２０４に伝送される。指示したチャンネル（サービスＩＤ）を選択するために、ＣＰＵ２０４が周波数、ＴＳＩＤ等を放送受信部２０１に設定する。この設定により、アンテナ５から入力される信号のうちの、所定の周波数、及び／もしくはＴＳＩＤの信号が選択されＴＳデータに変換される。ＴＳデータはデマルチプレクサ２１１によって映像データ、音声データ、その他データに分別される。映像データはＭＰＥＧ２ビデオデコーダ２１２によってデコードされてデコードされた映像データとして出力される。音声データはＭＰＥＧ２オーディオデコーダ２１３によってデコードされてデコードされた音声データとして出力される。その他のデータは記憶部２０３を経てＣＰＵ２０４に受け渡される。本願においてデコードとは、暗号処理や、圧縮処理など何らかの変換処理を受けた信号を変換して所望の信号を得ることをいう。復号もデコードと同義である。暗号化されたＴＳデータの場合、デコードのためには、暗号解読キーと解読プログラムが必要となる。本実施形態では暗号解読キーと解読プログラムはＣＡＭ２０５で処理される。ＭＰＥＧ２ビデオデコーダ２１２はＭＰＥＧ方式で圧縮されているビデオ信号をデコードして、記憶部２０３に出力する。デコードされた映像データは記憶部２０３から表示データ生成部２０６に送られ、表示データ生成部２０６で表示用の信号に変換される。この表示用の信号によってケーブルにより接続されたモニタ２において映像の表示が行われる。ＭＰＥＧ２オーディオデコーダ２１３はＭＰＥＧ方式で圧縮されているオーディオ信号をデコードして、Ｄ／Ａ変換部２０７に出力する。デコードされた音声データは、Ｄ／Ａ変換部２０７でＤ／Ａ変換され左チャンネルと右チャンネルの信号として出力される。この音声信号はケーブルにより接続されたスピーカを用いて再生される。この時、放送受信部２０１ａと、デマルチプレクサ２１１、ＭＰＥＧ２ビデオデコーダ２１２、及びＭＰＥＧ２オーディオデコーダ２１３を含むＤＴＶモジュール２０２からなる第１の組と、放送受信部２０１ｂと、デマルチプレクサ３０２、ＭＰＥＧ２ビデオダウンデコーダ３０３、及びＭＰＥＧ２オーディオデコーダ３０４を含むＤＴＶモジュール３０１からなる第２の組とはそれぞれ独立して動作する。モニタには第１の組を利用して表示される映像と、第２の組を利用して表示される映像とを同時に表示することができる。使用者がリモコン４を操作することで発生した制御信号に基づいてＣＰＵ２０４が２画面出力等の映像の出力方法、及び音声の出力方法を制御するための信号を発生する。ＣＰＵ２０４からの制御信号によって表示データ生成部２０６、Ｄ／Ａ変換部２０７が制御されることで複数番組の同時視聴を行うことができる。
【手続補正３０】
【補正対象書類名】明細書
【補正対象項目名】００５０
【補正方法】変更
【補正の内容】
【００５０】
高解像度画像５０１は、高解像度の入力映像データをＤＴＶモジュール２０２のデコーダ２１１を用いて復号して得た高解像度の映像データによって表示した画像である。この映像データは表示デバイスであるモニタの表示可能領域全体を表示領域（第１の表示領域）として表示を行うための映像データとして出力される。低解像度画像５０２は、高解像度の入力映像データを簡易ＤＴＶモジュール３０１のデコーダ３０３を用いて復号して得た低解像度の映像データによって表示した画像である。この映像データは表示可能領域全体よりも面積が小さく，且つ第１の表示領域よりも面積が小さい第２の表示領域において表示を行うための映像データとなる。第２の表示領域上には他の表示領域は重ならないので第２の表示領域と低解像度画像５０２が実際に表示されている領域とは一致する。第１の表示領域上には第２の表示領域が重ねられており、第１の表示領域の一部（他の表示領域が重なっていない部分）が実際の画像である高解像度画像５０１が表示される領域になっている。